(57)【要約】  【課題】  水中への遺骨の葬送を簡易にし、さらに漁礁としての役割も果たす骨壷を提供する。  【解決手段】    水中用骨壷１は、容器本体１２と蓋１１とから構成される。容器本体１２は、内部に遺骨を収容する収容部１２０を有する。蓋１１は、容器本体１２の上面に接合し、収容部１２０の空間を閉じる。また、蓋１１と容器本体１２には、外壁面(上面１００、側面１０４、下面１０２)から収容部１２０までを連通させる微小孔を持つように形成され、水中において、遺骨から溶け出したカルシウムなどのミネラルが微小孔を通して、外へ湧出するようになり、漁礁としての機能を有するようになる。また、海へ沈める際、ロープ用開口１１０にロープを通すことで一方向に水中用骨壷１を沈めることが可能となり、さらに、連結用凹部１２２によって水中用骨壷１同士が連結し、様々な大きさの漁礁を形成することができる。【選択図】図２
2010104393.tif 000002
【特許請求の範囲】
【請求項１】
遺骨を収容する収容部と、
漁礁として機能する外形構成材と
を有する骨壺。
【請求項２】
前記外形構成材は、鉄又はコンクリートである
請求項１に記載の骨壺。
【請求項３】
前記外形構成材の外壁面から、前記収容部の内部までを連通させる連通口
をさらに有する請求項１に記載の骨壺。
【請求項４】
前記外形構成材は、他の骨壺と連結するための連結部を有する
請求項１に記載の骨壺。
【請求項５】
骨壺の収容部に、遺骨を収容する収容ステップと、
遺骨が収容された骨壺を水中に設置する設置ステップと
を有する葬送方法。
【請求項６】
前記設置ステップにおいて、遺骨が収容された骨壺は、他の骨壺に連結させた状態で水中に設置される
請求項５に記載の葬送方法。
【発明の詳細な説明】
【技術分野】
【０００１】
本発明は、葬送方法に関する。
【背景技術】
【０００２】
例えば、特許文献１には、破砕された人骨に珪藻等の藻類の着床を促す硫酸鉄を混合すると共にブロック等の形状に成型して水底に沈める葬送方法が開示されている。
【特許文献１】特開２００４−２０９１８３号公報
【発明の開示】
【発明が解決しようとする課題】
【０００３】
本発明は、上述した背景からなされたものであり、水中への葬送を簡易にすることを目的とする。
【課題を解決するための手段】
【０００４】
上記目的を達成するために、本発明に係る骨壺は、遺骨を収容する収容部と、漁礁として機能する外形構成材とを有する。
【０００５】
好適には、前記外形構成材は、鉄又はコンクリートである。
【０００６】
好適には、前記外形構成材の外壁面から、前記収容部の内部までを連通させる連通口をさらに有する。
【０００７】
好適には、前記外形構成材は、他の骨壺と連結するための連結部を有する。
【０００８】
また、本発明に係る葬送方法は、骨壺の収容部に、遺骨を収容する収容ステップと、遺骨が収容された骨壺を水中に設置する設置ステップとを有する。
【０００９】
好適には、前記設置ステップにおいて、遺骨が収容された骨壺は、他の骨壺に連結させた状態で水中に設置される。
【発明の効果】
【００１０】
本発明によれば、水中への葬送を簡易にすることができる。
【発明を実施するための最良の形態】
【００１１】
[骨壺の構成]
まず、本実施形態に係る水中用骨壺１の構成を以下図面に従って説明する。
図１は、本実施形態に係る水中へ遺骨を葬送するための水中用骨壺１の形状を示す斜視図である。水中用骨壺１の形状は、特に限定するものではなく、図１はその一例として、上面１００、下面１０２及び側面１０４を有する略円錐台を成すものである。また、外壁面(上面１００、側面１０４、下面１０２)は、鉄もしくはコンクリート等の外形構成材１０によって構成される。
【００１２】
図２は、水中用骨壺１の断面図である。
図２に例示するように、水中用骨壺１は、容器本体１２と蓋１１とから構成される。容器器本体１２は、内部に遺骨を収容する収容部１２０を有する。蓋１１は、容器本体１２の上面に接合し、収容部１２０の空間を閉じる。
また、蓋１１と容器本体１２には、中心にロープを通せるように上面１００から下面１０２へ貫通するロープ用開口１１０が開けられている。
さらに、蓋１１及び容器本体１２は、外壁面(上面１００、側面１０４、下面１０２)から収容部１２０までを連通させる微小孔を持つように形成される。なお、微小孔の大きさは、水、及び骨から溶け出したカルシウムなどのミネラルを通し、粉末状にした遺骨は通さない程度であればよい。
【００１３】
[葬送方法]
次に、上記構成を持つ水中用骨壺１によるペットの遺骨の葬送方法について以下図面に従って説明する。
まず、火葬されたペットの遺骨を粉末状にし、収容部１２０に収容する。なお、収容部１２０に収容する遺骨の状態としては、粉末状以外に、例えば、ペースト状、固形状であってもよい。それから、蓋１１を容器本体１２に接合し、収容部１２０の遺骨が外へ放出されない状態にしてから、水中用骨壺１を海へ沈める。なお、蓋１１を容器本体１２に接合する方法は、特に限定するものではなく、例えば、溶接、接着、又は捲き締め等によって接合する。
【００１４】
図３は水中用骨壺１を海へ沈める方法を示す断面図である。
図３に例示するように、水中用骨壺１は、浮きブイ３とアンカー４を繋ぐロープ５を蓋１１と容器本体１２に開けられたロープ用開口１１０に通して、海へ沈められる。これによって、水中用骨壺１は、水中用骨壺１A、１B、１Cに示されるように、ロープ５をガイドとして一方向に沈めることが可能となる。さらに、容器本体１２の下面にある連結用凹部１２２によって、水中用骨壺１A、１Bに示されるように、水中において水中用骨壺１同士を連結させることが可能となる。
また、海へ沈める水中用骨壺１の数によっては、様々な大きさの水中用骨壺１の連結を作成でき、海の深度や流れなどの環境に応じた大きさの漁礁を作成することが可能となる。
【００１５】
水中用骨壺１は、海水中においては、外壁面から収容部１２０までを連通させる微小孔によって、水が外壁面から収容部１２０に染み出し、水に浸かった遺骨からは次第にカルシウムなどのミネラルが溶け出すようになり、さらには、微小孔を通して、外壁面からカルシウムなどのミネラルが湧出するようになる。
【００１６】
その後、外壁面から湧出したカルシウムなどのミネラルは、バクテリア等の水生生物によって分解もしくは栄養素として利用され、水中用骨壺１は、藻類等が着床しやすい環境となり、漁礁としての機能を有するようになる。
【００１７】
［変形例１］
次に、上記実施形態に係る水中用骨壺１の構成の変形例１を説明する。
図４は、本変形例における水中用骨壺２の形状を示す斜視図である。
水中用骨壺２の形状は、図４に例示するように、両側面にガイド筒部２０２A、２０２Bを有する略円柱形を成すものである。ガイド筒部２０２A,２０２Bは、水中用骨壷１のロープ用開口１１０と同様に、海中において、ロープを通して水中用骨壺２を一方向に沈めるためのものである。また、水中用骨壺２を構成する外形構成材２０は、外形構成材１０と同様に鉄もしくはコンクリート等であればよい。なお、ガイド筒部２０２は、他の水中用骨壺２と連結するための連結機構をさらに有するよう構成してもよい。この連結機構によれば、複数の水中用骨壺２を水平方向に連結させることができる。
【００１８】
図５は、水中用骨壺２の構成品を展開した状態を示す斜視図である。
図５に例示するように、水中用骨壺２は、蓋２１、内容器２３、容器本体２２とから構成される。内容器２３は、水中用骨壺１と同様に遺骨を収容できる収容部を有し、遺骨を収容した後、蓋をしたものである。そのような内容器２３を容器本体２２に収容し、蓋２１で閉じることで、図４の水中用骨壷２の状態となる。
また、内容器２３は、そこに収容する遺骨の量に応じた大きさの収容部を有する。具体的には、容器本体２２に収容できる一定の大きさで肉厚の異なる内容器２３を複数個予め用意し、収容する遺骨の量に応じた容積を持つ内容器２３を選択し容器本体２２に収容する。なお、内容器２３の肉厚を一定にして、外径の大きさを変えていくことで、複数の内容記２３を入れ子状にして、容器本体２２に収容してもよい。
【００１９】
上記水中用骨壷２の構成によって、収容する遺骨の量に関係なく、水中用骨壷２の大きさを一定にすることが可能となる。これによって、水中用骨壷２は一定の大きさの空間に均一に収容できるようになるので、搬送における効率がよくなる。
また、蓋２１、内容器２３及び容器本体２２は、水中用骨壺１と同様に外壁面から、収容部までを連通させる微小孔を持つように形成され、海水中において、収容した遺骨から溶け出したカルシウムなどのミネラルが外壁面から湧出するようになる。
【００２０】
［変形例２］
次に、水中用骨壺２の変形例２を説明する。
図６は、変形例２における水中用骨壺２を説明する断面図である。
本変形例の水中用骨壺２は、図６に例示するように、容器本体２２と蓋２１とに加えて、拡張容器２４を有する。なお、本図では、説明の便宜上、容器本体２２に設けられたガイド筒部２０２は図示されていない。
拡張容器２４は、容器本体２２と略同一径の円筒形状を有し、鉄又はコンクリートで構成されている。拡張容器２４の壁面の厚さは、容器本体２２と略同一であることが望ましい。また、拡張容器２４の上端及び下端には、他の拡張容器２４又は容器本体２２と連結するための連結機構（例えば、ネジ構造）を有する。これにより、図６に例示するように、蓋２１と容器本体２２との間に、所望の数の拡張容器２４（本例では２つの拡張容器２４Ａ及び２４Ｂ）を挿入し、連結機構で互いに連結させて、所望の容量を有する水中用骨壺２を作成することができる。
このように、本変形例によれば、容器本体２２及び拡張容器２４などを共用して、種々のサイズの水中用骨壺２を作成することができる。
【００２１】
［その他の変形例］
上記実施形態では、遺骨の葬送方法の一例としてペットの遺骨の葬送方法について説明したが、水中用骨壺１の収容部１２０に収容するものとしては人骨やその他動物の骨を粉末状、ペースト状、又は固形状にしたものであってもよい。
【図面の簡単な説明】
【００２２】
【図１】水中用骨壷１の形状を示す斜視図である。
【図２】水中用骨壷１の断面図である。
【図３】水中用骨壷１を海へ沈める方法を示す断面図である。
【図４】水中用骨壷２の形状を示す斜視図である。
【図５】水中用骨壷２の構成品を展開した状態を示す斜視図である。
【図６】変形例２における水中用骨壺２を説明する断面図である。
【符号の説明】
【００２３】
１，２・・・水中用骨壷
３・・・浮きブイ
４・・・アンカー
５・・・ロープ
１０，２０・・・外形構成材
１１，２１・・・蓋
１２，２２・・・容器本体
２３・・・内容器
２４・・・拡張容器
１００・・・上面
１０２・・・下面
１０４・・・側面
１１０・・・ロープ用開口
１２０・・・収容部
１２２・・・連結用凹部
２０２・・・ガイド筒部
【図１】
2010104393.tif 000003
【図２】
2010104393.tif 000004
【図３】
2010104393.tif 000005
【図４】
2010104393.tif 000006
【図５】
2010104393.tif 000007
【図６】
2010104393.tif 000008